(57)【特許請求の範囲】
【請求項１】
レンズ、
このレンズから射出した光が照らされて、当該光を電気信号に変換する電気信号変換手段、
入射する光の赤外線成分を減衰させて射出させる赤外線減衰フィルタ、
周囲が明るい場合は上記レンズから射出した光を上記赤外線減衰フィルタを介して上記電気信号変換手段に入力させ、
周囲が暗い場合は上記レンズから射出した光を上記赤外線成分減衰フィルタを介さずに上記電気信号変換手段に入力させるように当該赤外線成分減衰フィルタの位置を移動させる赤外線成分減衰フィルタ移動手段を備え、
上記赤外線成分減衰フィルタの位置に応じた制御信号が生成され、当該制御信号によって、上記レンズと上記電気信号変換手段との距離が変動することを特徴とするフィルタ移動型カメラ装置。
【発明の詳細な説明】
【０００１】
【発明の属する技術分野】
本発明は、カメラ装置に関し、特に可視光領域による撮影と近赤外光領域による撮影を共用できる監視カメラ装置に関する。
【０００２】
【従来の技術】
図５は従来の監視カメラ装置を示す分解斜視図である。図６は同監視カメラ装置のカラー／白黒切換機構を示す構成図である。図において、１はシャーシ、２はシャーシ１内に上下動可能に組み込まれたキャリッチ、３はキャリッチ２の上部に取り付けられた白黒用の空間フィルタ、４はキャリッチ２の下部に取り付けられたカラー用の赤外線カットフィルタである。５はシャーシ１の上部右側に取り付けられたＤＣモータ、５ａは一端がＤＣモータ５のモータ軸に連結され、他端側がキャリッチ２のスクリュー受け部２ａに螺合され、他端がシャーシ１の軸受部１ａに軸支されたリードスクリュー、６はシャーシ１に設けられ、キャリッチ２の上下動をガイドするガイドロッド、７はシャーシ１に固定ネジ８で固定され、ガイドロッド６を圧接保持する板バネである。９は空間フィルタ３と赤外線カットフィルタ４との切り換えを行うカラー／白黒切換機構６で、上下に空間フィルタ３と赤外線カットフィルタ４とが取り付けられたキャリッチ２と、ＤＣモータ５と、リードスクリュー５ａと、ガイドロッド６とで構成されている。
【０００３】
１０はシャーシ１の後面側で空間フィルタ３の位置で、レンズ光軸上に設けられた撮像素子、１１は撮像素子１０を固定するためのプレート、１２はプレート１１が取り付けられ、シャーシ１の後面側を覆う基板、１３はシャーシ１の前面側を覆う保護板、１４はシャーシ１の後面側に取り付けられた防塵ゴムである。１５はレンズ（図示省略）が取り付けられるレンズマウントで、その内部にシャーシ１を収容している。１６はレンズマウント１５に設けられたフランジバックの調整を行う調整つまみ、１７は調整つまみ１６に取り付けられた平歯車、１８は平歯車１７の回転によりシャーシ１を前後させる調整リング、１９は平歯車１７の回転に節度を与えるラッチである。２０はフォーカスのズレを調整するフランジバック調整機構で、調整つまみ１６と、平歯車１７と、調整リング１８とラッチ１９とで構成されている。なお、レンズマウント１５の背面には撮像素子１０の信号を処理するカメラ本体（図示省略）が取り付けられている。
【０００４】
従来の監視カメラ装置は上記のように構成され、例えば、屋外環境下に監視カメラ装置を設置する場合、フランジバック調整機構２０を動作させてレンズマウント１５内のシャーシ１を前後させてフランジバック調整を行う。即ち、設置者は調整つまみ１６を操作して平歯車１７を回転させ、平歯車１７の回転により調整リング１８を回転させて撮像素子１０を有するシャーシ１をレンズ光軸方向で前後に移動させ、フォーカスのズレを調整するフランジバック調整を行う。また、監視カメラ装置は制御部（図示せず）が照度を検知して、昼間のように照度が高い場合はカラー撮影、夜間のように照度が低い場合は白黒撮影を行うものであるが、空間フィルタ３がある位置に撮像素子１０が配置されているため、カラー撮影の場合には、制御部はカラー／白黒切換機構９を動作させて撮像素子１０のある位置に赤外線カットフィルタ４を移動させる。
【０００５】
即ち、制御部がパルス波形の電圧をＤＣモータ５に供給し、ＤＣモータ５を回転させ、リードスクリュー５ａの回転により赤外線カットフィルタ４が取り付けられているキャリッチ２を上動させ、赤外線カットフィルタ４を撮像素子１０のある位置に移動させることによって行う。また、その後に白黒撮影を行う場合には、制御部はカラー／白黒切換機構９を動作させて撮像素子１０のある位置に空間フィルタ３を移動させる。また、空間フィルタ３と赤外線カットフィルタ４との互いの光路長の伸びをこれらフィルタを構成するガラスや水晶等の部材を製造時に加工して一致させ、設置時以外のフランジバック調整を不要にしている。
【０００６】
【発明が解決しようとする課題】
従来の監視カメラ装置では上記のような構成であるため、以下のような問題が発生していた。
（１）上述のように設置後にカラー用となる赤外線カットフィルタ４と白黒用となる空間フィルタ３が切り換えられた場合に、フォーカスのズレが起きないように、赤外線カットフィルタ４と空間フィルタ３の光路長の伸びを同一距離になるように、これらフィルタ３，４を構成する部材を加工して製造上仕上げるため、製造歩留まりの悪化が避けられない問題があった。
（２）また、設置時のフランジバック調整では、監視カメラ装置からの映像を出力するモニタを見ながら調整つまみ１６を操作して調整するため、設置場所付近にモニタを配置する必要があり、調整が大変であるという問題もあった。
【０００７】
この発明は、上記問題を解決するためになされたものであり、フランジバック調整を自動調整可能とすることで製造時の空間フィルタと赤外線カットフィルタとの光路長の調整を不要として製造歩留まりを向上できる監視カメラ装置を提供するものである。
【０００８】
【課題を解決するための手段】
この発明は、レンズ、このレンズから射出した光が照らされて、当該光を電気信号に変換する電気信号変換手段、入射する光の赤外線成分を減衰させて射出させる赤外線減衰フィルタ、周囲が明るい場合は上記レンズから射出した光を上記赤外線減衰フィルタを介して上記電気信号変換手段に入力させ、周囲が暗い場合は上記レンズから射出した光を上記赤外線成分減衰フィルタを介さずに上記電気信号変換手段に入力させるように当該赤外線成分減衰フィルタの位置を移動させる赤外線成分減衰フィルタ移動手段を備え、上記赤外線成分減衰フィルタの位置に応じた制御信号が生成され、当該制御信号によって、上記レンズと上記電気信号変換手段との距離が変動するフィルタ移動型カメラ装置である。
【０００９】
【００１０】
【００１１】
【発明の実施の形態】
実施の形態１．
図１は本発明の実施の形態１に係る監視カメラ装置を示す分解斜視図、図２は同監視カメラ装置のカラー／白黒切換機構を示す構成図、図３は同監視カメラ装置のフランジバック調整機構を示す構成図である。図において、従来例と同様の構成は同一符号を付して重複した構成の説明を省略し、相違する構成について説明する。この実施の形態１では、カラー／白黒切換機構９は従来例と同じ構成で動作も同じであるが、フランジバック調整機構が従来例と異なるものである。
【００１２】
次に、本発明の実施の形態１のフランジバック調整機構３０の構成について説明する。２１はレンズマウント１５内のシャーシ１を可動させるためのシャーシ可動用ＤＣモータ、２１ａは一端がシャーシ可動用ＤＣモータ２１のモータ軸に連結され、他端側がシャーシ１の側部から張り出したスクリュー横受け部２ａに螺合され、他端がレンズマウント１６の軸受部１６ａに軸支されたリードスクリュー、２２は一端が固定ネジ８で固定され、他端にシャーシ可動用ＤＣモータ２１を取り付けた板金で形成されたモータ用ホルダ、２３はレンズマウント１５に一端が固定され、他端側がシャーシ１の側部から張り出したロッド横受け部２ａに螺合された水平ガイドロッド、２５はレンズマウント１５に取り付けられたレンズである。このように、フランジバック調整機構３０は、シャーシ可動用ＤＣモータ２１と、リードスクリュー２１ａと、モータ用ホルダ２２と、水平ガイドロッド２３とで構成されている。
【００１３】
次に、本発明の実施の形態１について、カラー／白黒切換機構９の動作は従来例と同じであるので、その説明を省略し、フランジバック調整機構３０の動作について説明する。この実施の形態１のフランジバック調整機構３０では、ピント合わせは撮像素子１０で撮影した映像のピントの度合いを見ながら、制御部（図示省略）がパルス波形の電圧をシャーシ可動用ＤＣモータ２１に供給し、シャーシ可動用ＤＣモータ２１を回転させ、リードスクリュー２１ａの回転により、撮像素子１０が取り付けられてシャーシ１を水平ガイドロッド２３にガイドさせて前後方向に移動させることにより、撮像素子１０の位置をレンズ光軸上で前後に移動させてフランジバック調整が自動的に行われてピント合わせができる。
【００１４】
このように、監視カメラ装置の設置後に、制御部（図示省略）がパルス波形の電圧をシャーシ可動用ＤＣモータ２１に供給することにより、撮像素子１０が取り付けられてシャーシ１をレンズ光軸方向で前後に移動させて撮像素子１０のフランジバック調整を自動的に行うことができることにより、白黒撮影を行う場合又はカラー撮影を行う場合に制御部がカラー／白黒切換機構９を動作させて空間フィルタ３又は赤外線カットフィルタ４を撮像素子１０のある位置に移動させたときに、これらフィルターの光路長の伸びの違いに応じて撮像素子１０のフランジバック調整を手間をかけずに自動的に行うことができるため、製造時に赤外線カットフィルター４と空間フィルター３の光路長の伸びを同一距離になるように、これらフィルタ３，４を構成する部材を加工して製造上仕上げる必要がなくなり、製造歩留まりが向上した。
【００１５】
また、従来は、空間フィルタ３は赤外線カットフィルタ４と光路長の伸びを同一距離になるように、これを構成する部材としてガラスを用い、製造時にそのガラスの厚さを加工していたが、空間フィルタ３と赤外線カットフィルタ４の光路長の伸びの違いに応じてを撮像素子１０のフランジバック調整を手間をかけずに自動的に行うことができるため、空間フィルタ３をガラスで構成する必要もなく、即ち、空間フィルタ３をガラスのない枠だけ、又は空気だけで構成することができ、結局は空間フィルタ３が不要となる。従って、白黒撮影とカラー撮影を行う場合に赤外線カットフィルター４の移動だけで済み、カラー／白黒切換機構９を小型化できると共にコストを低減できる。
【００１６】
実施の形態２．
図４は本発明の実施の形態２に係る監視カメラ装置を示す構成図である。この実施の形態２では、実施の形態１の監視カメラ装置のレンズマウント１５に通常のレンズの代わりに近赤外線対応レンズ３１を取り付け、レンズマウント１５の近傍位置に被写体Ａに対して近赤外照明を行う近赤外照明灯３２を設けたものである。３３はレンズマウント１５の背面に取り付けられた撮像素子１０の信号を処理するカメラ本体である。
【００１７】
このように、レンズマウント１５に近赤外線対応レンズ３１を取り付け、レンズマウント１５の近傍位置に近赤外照明灯３２を設けることにより、昼間はカラー撮影を行う場合に、制御部（図示省略）がカラー／白黒切換機構６を動作させて赤外線カットフィルタ４を撮像素子１０のある位置に移動させ、フランジバック調整機構３０を動作させて撮像素子１０のフランジバック調整を行えばカラー撮影を行うことができる。また、夜間に近赤外線撮影を行う場合は、近赤外照明灯３２を点灯させて被写体に対して近赤外照明を行い、制御部（図示省略）がカラー／白黒切換機構６を動作させて空間フィルタ３を撮像素子１０のある位置に、又は赤外線カットフィルタ４をレンズ光軸位置から外れるように移動させ、フランジバック調整機構３０を動作させて撮像素子１０のフランジバック調整を行えば近赤外線撮影を行うことができる。従って、監視カメラ装置は昼はカラーカメラ、夜は近赤外線カメラとして対応することができる。
【００１８】
【発明の効果】
以上述べてきたように、この発明は、レンズ、このレンズから射出した光が照らされて、当該光を電気信号に変換する電気信号変換手段、入射する光の赤外線成分を減衰させて射出させる赤外線減衰フィルタ、周囲が明るい場合は上記レンズから射出した光を上記赤外線減衰フィルタを介して上記電気信号変換手段に入力させ、周囲が暗い場合は上記レンズから射出した光を上記赤外線成分減衰フィルタを介さずに上記電気信号変換手段に入力させるように当該赤外線成分減衰フィルタの位置を移動させる赤外線成分減衰フィルタ移動手段を備え、上記赤外線成分減衰フィルタの位置に応じた制御信号が生成され、当該制御信号によって、上記レンズと上記電気信号変換手段との距離が変動するフィルタ移動型カメラ装置であるので、カラー／白黒切換に影響なくフォーカスのずれが発生しない。
【００１９】
【図面の簡単な説明】
【図１】本発明の実施の形態１に係る監視カメラ装置を示す分解斜視図である。
【図２】同監視カメラ装置のカラー／白黒切換機構を示す構成図である。
【図３】同監視カメラ装置のフランジバック調整機構を示す構成図である。
【図４】本発明の実施の形態２に係る監視カメラ装置を示す構成図である。
【図５】従来の監視カメラ装置を示す分解斜視図である。
【図６】同監視カメラ装置のカラー／白黒切換機構を示す構成図である。
【符号の説明】
１  シャーシ、２  キャリッチ、３  空間フィルター、４  赤外線カットフィルター、５  ＤＣモータ、９  カラー／白黒切換機構、３０  フランジバック調整機構。
【図１】
0003861241.tif 000002
【図２】
0003861241.tif 000003
【図３】
0003861241.tif 000004
【図４】
0003861241.tif 000005
【図５】
0003861241.tif 000006
【図６】
0003861241.tif 000007